Podtech/llm-jp-corpus-v4-ja_patent huggingface dataset:
【手続補正書】
【提出日】令和3年8月31日(2021.8.31)
【手続補正１】
【補正対象書類名】特許請求の範囲
【補正対象項目名】全文
【補正方法】変更
【補正の内容】
【特許請求の範囲】
【請求項１】
標的組織に損傷部を形成するためのアブレーション装置であって、前記アブレーション装置は、
アブレーションシャフトと、
スタイレットとを備え、
前記アブレーションシャフトは、
ハンドルと、
第１部分と、
アブレーション部と、
遠位先端部と、
少なくとも１つのアブレーションエネルギー送達ルーメンと、
少なくとも１つのアブレーションエネルギー戻りルーメンと、
前記ハンドルから少なくとも前記アブレーション部まで、実質的にアブレーションシャフトの長さに沿って延びているスタイレットルーメンとを備え、
前記スタイレットは、前記スタイレットルーメンに挿入可能であり、かつ所定の形状にプリセットされている、アブレーション装置。
【請求項２】
前記少なくとも１つのアブレーションエネルギー送達ルーメンおよび前記少なくとも１つのアブレーションエネルギー戻りルーメンは、内側管を備え、該内側管は、該内側管を取り囲む外側管を有することによって前記内側管と前記外側管との間に隙間を画定する、請求項１に記載のアブレーション装置。
【請求項３】
前記隙間には熱伝導媒体を充填可能である、請求項２に記載のアブレーション装置。
【請求項４】
複数のアブレーションエネルギー送達ルーメンと、複数のアブレーションエネルギー戻りルーメンとをさらに備える、請求項１に記載のアブレーション装置。
【請求項５】
前記アブレーション部の外面上に少なくとも１つの電極をさらに備える、請求項１に記載のアブレーション装置。
【請求項６】
少なくとも１つのサービスルーメンをさらに備える、請求項１に記載のアブレーション装置。
【請求項７】
アブレーションエネルギーは冷却剤によって提供される、請求項１に記載のアブレーション装置。
【請求項８】
前記冷却剤は窒素である、請求項７に記載のアブレーション装置。
【請求項９】
前記窒素は近臨界窒素である、請求項８に記載のアブレーション装置。
【請求項１０】
前記スタイレットは形状記憶材料を含み、任意選択で、前記形状記憶材料はニチノールである、請求項１に記載のアブレーション装置。
【請求項１１】
前記アブレーション装置は、心房細動、心房粗動および心室頻拍からなる群から選択される病気を治療するために使用される、請求項１に記載のアブレーション装置。
【請求項１２】
前記スタイレットの少なくとも遠位部は、形成するべき前記損傷部の所望の形状に対応する形状にプリセットされている、請求項１に記載のアブレーション装置。
【請求項１３】
前記スタイレットはその長さに沿って複数の可撓性を有し、任意選択肢で、前記複数の可撓性は、前記スタイレットを機械的に変えることに起因するか、または前記スタイレットの部分から材料を取り除くことに起因する、請求項１に記載のアブレーション装置。
【請求項１４】
前記スタイレットの少なくとも遠位部は、診断部の形状にプリセットされている、請求項１に記載のアブレーション装置。
【請求項１５】
前記診断部は前記凍結部を位置付けるために使用される、請求項１４に記載のアブレーション装置。
【請求項１６】
前記診断部は、心臓内の肺静脈入口部の中に受け入れられるように設計されている、請求項１５に記載のアブレーション装置。
【請求項１７】
前記スタイレットは、０℃を下回るオーステナイト終了変態温度を有する、請求項１から１６の何れか一項に記載のアブレーション装置。
【手続補正２】
【補正対象書類名】明細書
【補正対象項目名】発明の名称
【補正方法】変更
【補正の内容】
【発明の名称】形状記憶スタイレットを有するアブレーション装置
【手続補正３】
【補正対象書類名】明細書
【補正対象項目名】０００１
【補正方法】変更
【補正の内容】
【０００１】
本発明の実施形態は冷凍処置に関し、より具体的には、心臓疾患の治療のための冷凍アブレーション装置に関する。
【手続補正書】
【提出日】令和3年8月26日(2021.8.26)
【手続補正１】
【補正対象書類名】特許請求の範囲
【補正対象項目名】全文
【補正方法】変更
【補正の内容】
【特許請求の範囲】
【請求項１】
ゼオライトおよび／またはゼオライト様結晶を含む結晶性フィルムを堆積させるための多孔質支持体を生成するための方法であって：
ａ）  多孔質支持体を、１種またはそれ以上のカチオン性ポリマーを用いて支持体を処理することにより、電荷改質する工程と、
ｂ）  その後、電荷改質された多孔質支持体を、１種またはそれ以上の疎水剤を用いて処理する工程と
を含む前記方法。
【請求項２】
多孔質支持体上に、ゼオライトおよび／またはゼオライト様結晶を含む結晶性フィルムを生成するための方法であって、前記方法は請求項１に記載の工程およびさらに次の工程：
ｃ）  電荷改質された疎水性多孔質支持体上に、微粒子ゼオライトおよび／またはゼオライト様結晶を堆積させる工程と、
ｄ）  前記堆積させられた微粒子ゼオライトおよび／またはゼオライト様結晶から、ゼオライトおよび／またはゼオライト様結晶を含む結晶性フィルムを成長させて、多孔質支持体上に、ゼオライトおよび／またはゼオライト様結晶を含む結晶性フィルムを生成する工程と
を含む前記方法。
【請求項３】
多孔質支持体は、支持体の電荷改質前に、溶媒、溶液、またはそれらの組成物を含浸させられる、請求項１または２に記載の方法。
【請求項４】
多孔質支持体は、カチオン性ポリマーの溶液に浸漬される、請求項１に記載の方法。
【請求項５】
溶液は、アンモニア水溶液である、請求項４に記載の方法。
【請求項６】
カチオン性ポリマー（複数可）を含むアンモニア水溶液のｐＨは、ｐＨ８、ｐＨ８．５、またはｐＨ９．５のような、７〜１０のような、７〜１２である、請求項５に記載の方法。
【請求項７】
前記電荷改質された多孔質支持体は、オルガノシラン、アルキルシラン、ハイドロシラン、ジアルキルシラン、フッ素化アルキルシラン、フッ素化ジアルキルシラン、パーフルオロ化アルキルシラン、フッ素化アルコキシシラン、クロロシラン、フッ素化クロロシラン、もしくはそれらの組合せのような１種もしくはそれ以上のシラン（複数可）を含む、１種またはそれ以上の疎水剤（複数可）を使用して処理される、請求項１〜６のいずれか１項に記載の方法。
【請求項８】
前記疎水剤（複数可）は、以下の化合物（複数可）：オクタデシルトリヒドロシラン、フェニルトリメトキシシラン、トリエトキシプロピルシラン、１Ｈ，１Ｈ，２Ｈ，２Ｈ−パーフルオロデシルトリエトキシシラン、１Ｈ，１Ｈ，２Ｈ，２Ｈ−パーフルオロデシルトリクロロシラン、トリメチルオクチルシラン、オクチルトリメトキシシラン、１Ｈ，１Ｈ，２Ｈ，２Ｈ−パーフルオロセチルメチルジクロロシラン、１Ｈ，１Ｈ，２Ｈ，２Ｈ−パーフルオロオクチルトリメトキシシラン、またはそれらの組合せのうちの１種またはそれ以上から選択される、請求項１〜６のいずれか１項に記載の方法。
【請求項９】
ゼオライト材料は、シリカライト−１、ゼオライトＡ、ゼオライトベータ、ゼオライトＬ、Ｙ、Ｘ、ＺＳＭ−２２、ＺＳＭ−１１、ＺＳＭ−５、ＺＳＭ−２、ＬＴＡ、ＳＡＰＯ−３４、ＤＤＲ、モルデナイト、キャバザイト、ホージャサイト、ソーダライト、フェリエライト、ＭＦＩ、およびフィリップサイトを含む群から選択される、請求項１〜８のいずれか１項に記載の方法。
【請求項１０】
多孔質支持体は非対称であり、上部層は電荷改質される、請求項１〜９のいずれか１項に記載の方法。
【請求項１１】
多孔質支持体の上部面は電荷改質される、請求項１〜１０のいずれか１項に記載の方法。
【請求項１２】
工程（ａ）〜（ｂ）の生成物は、方法の後続工程またはいずれかのさらなる方法で使用される前に、か焼されない、請求項１に記載の方法。
【請求項１３】
工程（ｃ）の生成物は、工程（ｄ）で使用される前にか焼されない、請求項２に記載の方法。
【請求項１４】
請求項１の方法により得られる多孔質支持体。
【請求項１５】
請求項１４に記載の多孔質支持体を含む、物品の膜、触媒、センサー、吸着剤、および／または電極。
【請求項１６】
請求項２〜１３のいずれか１項に記載の方法により得られるゼオライト結晶を含む結晶性フィルム。
【請求項１７】
請求項１６の結晶性フィルムを含む、物品の膜、触媒、センサー、吸着剤、および／または電極。
【請求項１８】
請求項１６に記載の結晶性フィルムを含む、複合異方性膜。
【手続補正書】
【提出日】令和3年8月23日(2021.8.23)
【手続補正１】
【補正対象書類名】特許請求の範囲
【補正対象項目名】全文
【補正方法】変更
【補正の内容】
【特許請求の範囲】
【請求項１】
複数の電力相を備える電力変換器を提供することであって、
各電力相が、電力段および対応する制御回路を備え、
前記複数の電力相の出力が、互いに接続され、
各電力段は、トリガー信号に応答して前記対応する制御回路によって生成されるパルス幅変調信号を使用して、一定のオン時間および最小オフ時間の制御方式によって制御される、提供することと、
トークンを前記複数の電力相の間で順次通過させることによって、前記複数の電力相をインターリーブ手法で動作させるように構成することであって、前記トークンが、前記トークンを所有する電力相のハイサイドスイッチをオンにできるようにするイネーブル機能を表し、前記ハイサイドスイッチの最小オフ時間の後、前記トークンは次の電力相に通過される、構成することと、を含む方法。
【請求項２】
前記複数の電力相が、第１のコントローラおよび第２のコントローラによって制御され、
前記第１のコントローラが、マスターとして構成され、前記第２のコントローラが、スレーブとして構成される、請求項１に記載の方法。
【請求項３】
前記マスターによって制御される前記電力相が、前記スレーブによって制御される前記電力相よりも早くオンになる、請求項２に記載の方法。
【請求項４】
前記マスターによって制御される前記電力相が、順次オンになり、
前記スレーブによって制御される前記電力相が、順次オンになる、請求項２に記載の方法。
【請求項５】
前記トークンが、所定の手法で前記マスターによって制御される異なる相の間で移転され、
前記トークンが、所定の手法で前記スレーブによって制御される異なる相の間で移転される、請求項２に記載の方法。
【請求項６】
前記マスターが制御する最後の電力相が終了するときに、前記トークンが、前記マスターから前記スレーブにリリースされる、請求項５に記載の方法。
【請求項７】
各電力相が、ステップダウン電力変換器を含む、請求項１に記載の方法。
【請求項８】
前記複数の電力相が、単一のコントローラによって制御され、
前記トークンが、カウンタによって異なる相の間で移転される、請求項１に記載の方法。
【請求項９】
前記カウンタが、第１の電力相から最後の電力相までラウンドロビン流儀で前記トークンを手渡すように構成され、前記最後の電力相が終了した後に、このプロセスを繰り返す、請求項８に記載の方法。
【請求項１０】
トークンを複数の電力相の間で順次通過させることによって、電力変換器の前記複数の電力相をインターリーブ手法で動作させるように構成することと、
第１の電力相が、前記トークンを所有し、前記第１の電力相の制御回路からトリガー信号を受け取った後に、前記第１の電力相をオンにするために、第１のパルス幅変調信号を生成することと、
前記第１の電力相の所定の最小オフ時間の後に、前記トークンを第２の電力相に通過させて、前記第２の電力相を有効にすることと、
前記第２の電力相の所定の最小オフ時間の後に、前記複数の電力相の最後の電力相が前記トークンを所有するまで、前記トークンを順次通過させることと、
前記最後の電力相が終了した後に、前記トークンを前記第１の電力相に転送することと、を含む方法。
【請求項１１】
各電力相が、電力段および対応する制御回路を含み、
前記複数の電力相の出力が、互いに接続される、請求項１０に記載の方法。
【請求項１２】
前記トークンが、前記トークンを所有する電力相のハイサイドスイッチをオンにできるようにするイネーブル機能を表す、請求項１０に記載の方法。
【請求項１３】
各電力相が、一定のオン時間電力変換器を含み、前記一定のオン時間電力変換器が、
入力電源とグランドとの間に直列に接続された第１のスイッチおよび第２のスイッチと、
前記第１のスイッチおよび前記第２のスイッチの共通ノードと、前記一定のオン時間電力変換器の出力との間に接続されたインダクタと、を含む、請求項１０に記載の方法。
【請求項１４】
前記複数の電力相が、第１のコントローラおよび第２のコントローラによって制御され、
前記第１のコントローラが、マスターとして構成され、前記第２のコントローラが、スレーブとして構成され、
前記マスターによって制御される前記電力相が、前記スレーブによって制御される前記電力相よりも早くオンになり、
前記マスターによって制御される最後の電力相が終了するときに、前記トークンが、前記マスターから前記スレーブにリリースされる、請求項１０に記載の方法。
【請求項１５】
前記複数の電力相が、単一のコントローラによって制御され、
前記トークンが、カウンタによって異なる相の間で移転され、
前記カウンタが、前記第１の電力相から前記最後の電力相までラウンドロビン流儀で前記トークンを手渡すように構成され、前記最後の電力相が終了した後に、このプロセスを繰り返す、請求項１０に記載の方法。
【請求項１６】
入力電源と出力端子との間に接続された複数の電力相であって、各電力相が、一定のオン時間および最小オフ時間の電力変換器を含む、複数の電力相と、
トリガー信号に応答して前記複数の電力相の一定のオン時間および最小オフ時間のゲート駆動信号を生成するように構成されたコントローラであって、前記複数の電力相が、前記複数の電力相の間でトークンを順次通過させることによって、インターリーブ手法で動作するように構成され、
前記トークンが、前記コントローラによって生成され、前記トークンは前記複数の電力相の間で通過され、
前記トークンが、前記トークンを所有する電力相をオンにすることを許可するためのイネーブル機能を表し、
前記トークンを所有する前記電力相の所定の最小オフ時間の後に、前記トークンは次の電力相に通過される、コントローラと、を備えるシステム。
【請求項１７】
前記コントローラが、第１の制御ユニットおよび第２の制御ユニットを備え、
複数の第１の電力相が、前記第１の制御ユニットによって制御され、複数の第２の電力相が、前記第２の制御ユニットによって制御され、
前記第１の制御ユニットが、マスターとして構成され、前記第２の制御ユニットが、スレーブとして構成される、請求項１６に記載のシステム。
【請求項１８】
前記第１の電力相が、前記第２の電力相よりも早くオンになる、請求項１７に記載のシステム。
【請求項１９】
前記コントローラが、カウンタを備え、
前記カウンタが、第１の電力相から最後の電力相までラウンドロビン流儀で前記トークンを手渡すように構成され、前記最後の電力相が終了した後に、このプロセスを繰り返す、請求項１６に記載のシステム。
【請求項２０】
前記一定のオン時間および最小オフ時間の電力変換器が、
入力電源とグランドとの間に直列に接続された第１のスイッチおよび第２のスイッチと、
前記第１のスイッチおよび前記第２のスイッチの共通ノードと、出力コンデンサとの間に接続されたインダクタと、を備える、請求項１６に記載のシステム。
【手続補正書】
【提出日】令和3年9月2日(2021.9.2)
【手続補正１】
【補正対象書類名】特許請求の範囲
【補正対象項目名】全文
【補正方法】変更
【補正の内容】
【特許請求の範囲】
【請求項１】
エアロゾル発生装置であって、
エアロゾル発生基体からエアロゾルを発生するためのエアロゾル化器と、
デジタルサウンドリコンストラクション（ＤＳＲ）を使用し、個別のパルスの足し合わせを使用して音を発生するように構成された圧力発生ドライバのアレイを備えるＭＥＭＳ音発生器と、
前記ＭＥＭＳ音発生器に音を発生させるように動作可能に連結されたコントローラーと、を備える、エアロゾル発生装置。
【請求項２】
前記ＭＥＭＳ音発生器が空気を圧縮して前記音を発生する、請求項１に記載の装置。
【請求項３】
前記圧力発生ドライバの前記アレイが、複数の異なる周波数を発生する、請求項１または請求項２に記載の装置。
【請求項４】
前記コントローラーに動作可能に連結されたアクチュエータをさらに備え、前記ＭＥＭＳ音発生器が前記アクチュエータの係合に応答して前記音情報を発生する、請求項１〜３のいずれか一項に記載の装置。
【請求項５】
前記ユーザーの吸煙を測定するために前記コントローラーに動作可能に連結された吸煙センサーをさらに備える、請求項１〜４のいずれか一項に記載の装置。
【請求項６】
前記コントローラーが、前記ユーザーの吸煙を測定するために前記エアロゾル化器の特徴を測定するようにさらに構成されている、請求項５に記載の装置。
【請求項７】
前記コントローラーが、測定されたユーザの吸煙から決定される吸煙速度または吸入速度に基づいて前記音の特徴を変化させるよう構成されている、請求項１〜６のいずれか一項に記載の装置。
【請求項８】
前記エアロゾル発生基体をさらに備え、前記基体がニコチン材料を含む、請求項１〜７のいずれか一項に記載の装置。
【請求項９】
エアロゾル発生装置を使用するための方法であって、
前記エアロゾル発生装置を使用してユーザーの動作を検出することと、
前記ユーザーの前記動作に応答してＭＥＭＳ音発生器を使用して音を発生することであって、デジタルサウンドリコンストラクション（ＤＳＲ）を使用し、個別のパルスの足し合わせを使用して音を発生するように構成された圧力発生ドライバのアレイを前記ＭＥＭＳ音発生器が備える、発生することと、を含む、方法。
【請求項１０】
音を発生させることがユーザーのための情報を含む音を発生させることを含み、好ましくは前記発生する音中の情報がボイスメッセージを含む、請求項９に記載の方法。
【請求項１１】
前記発生する音中の情報が、前記エアロゾル発生装置、または前記エアロゾル発生装置の状態、またはその両方を使用もしくは維持するための指示を提供する、請求項１０に記載の方法。
【請求項１２】
保存されたコンピュータプログラムを含む非一時的コンピュータ可読記憶媒体であって、前記コンピュータプログラムをプログラム可能電気回路上で実行する時、
前記エアロゾル発生装置を使用してユーザーの動作を検出することと、
前記ユーザーの前記動作に応答してＭＥＭＳ音発生器を使用して音を発生することであって、デジタルサウンドリコンストラクション（ＤＳＲ）を使用し、個別のパルスの足し合わせを使用して音を発生するように構成された圧力発生ドライバのアレイを前記ＭＥＭＳ音発生器が備える、発生することと、を含む、方法を前記プログラム可能電気回路に実行させる、非一時的コンピュータ可読記憶媒体。
【請求項１３】
請求項１〜８のいずれか一項に記載のエアロゾル発生装置と、
ユーザーインターフェース装置であって、
前記エアロゾル発生装置と通信するための通信インターフェースと、
前記エアロゾル発生装置を構成するために、一つ以上のグラフィカル要素を提示するためのユーザーインターフェースを備えるディスプレイと、
前記ディスプレイおよび通信インターフェースに動作可能に連結されたコントローラーであって、
前記ディスプレイ上に一つ以上のグラフィカル要素を表示し、
前記エアロゾル発生装置を構成するために、前記ユーザーインターフェースを介して前記一つ以上のグラフィカル要素を使用してユーザー選択を可能にし、かつ
前記ユーザー選択に基づいて前記エアロゾル発生装置を構成するために、前記通信インターフェースを使用して前記エアロゾル発生装置と通信するように構成された、コントローラーと、を備えるユーザーインターフェース装置と、
を備えるシステム。
【請求項１４】
前記ユーザーインターフェース装置の前記コントローラーが、エアロゾル発生基体のタイプ、特定の吸煙音モード、一般的な吸煙音モード、指示モード、エラーメッセージモード、操作メッセージモード、基体検出モード、基体選択モード、データダウンロードモード、構成モード、体積レベル、および音質レベルのうちの一つ以上を定義する前記エアロゾル発生装置への構成を通信するように構成されている、請求項１３に記載のシステム。
【請求項１５】
前記ＭＥＭＳ音発生器を使用して前記音を発生することは、測定されたユーザの吸煙から決定される吸煙速度または吸入速度に基づいて前記音の特徴を変化させることを含む、請求項９に記載の方法または請求項１２に記載の非一時的コンピュータ可読記憶媒体。
【誤訳訂正書】
【提出日】令和3年8月18日(2021.8.18)
【誤訳訂正１】
【訂正対象書類名】明細書
【訂正対象項目名】０００１
【訂正方法】変更
【訂正の内容】
【０００１】
本発明は、中継器及びその動作方法に係り、周波数区間別の信号のパワーに基づいて、複数の同期信号ブロックを検出する周波数区間の優先順位を定め、定められた優先順位によって前記周波数区間別に含まれている同期信号ブロックを検出できる中継器及びその動作方法に関する。
【誤訳訂正２】
【訂正対象書類名】明細書
【訂正対象項目名】０００４
【訂正方法】変更
【訂正の内容】
【０００４】
本発明が解決しようとする技術的課題は、周波数区間別の信号のパワーに基づいて、複数の同期信号ブロックを検出する周波数区間の優先順位を定め、定められた優先順位によって前記周波数区間別に含まれている同期信号ブロックを検出できる中継器及びその動作方法を提供することである。
【誤訳訂正３】
【訂正対象書類名】明細書
【訂正対象項目名】０００５
【訂正方法】変更
【訂正の内容】
【０００５】
本発明の一実施形態による中継器の動作方法は、それぞれが相異なる周波数区間に属する複数の同期信号ブロックを含む通信信号を受信する段階と、周波数区間別の信号のパワーに基づいて、前記複数の同期信号ブロックを検出する周波数区間の優先順位を定める段階と、定められた優先順位によって前記周波数区間別に含まれている同期信号ブロックを検出する段階と、を含む。
【誤訳訂正４】
【訂正対象書類名】明細書
【訂正対象項目名】０００９
【訂正方法】変更
【訂正の内容】
【０００９】
一部の実施形態において、前記同期信号ブロックを検出する周波数区間の優先順位を定める段階は、前記通信信号を周波数ドメインに変換し、周波数ドメインに変換された通信信号の周波数区間別の信号のパワーを検出する段階を含む。
【誤訳訂正５】
【訂正対象書類名】明細書
【訂正対象項目名】００１０
【訂正方法】変更
【訂正の内容】
【００１０】
一部の実施形態において、前記同期信号ブロックを検出する周波数区間の優先順位を定める段階は、前記周波数区間別の信号のパワーに基づいて、信号のパワーの大きい周波数区間を高い優先順位として定める。
【誤訳訂正６】
【訂正対象書類名】明細書
【訂正対象項目名】００１１
【訂正方法】変更
【訂正の内容】
【００１１】
本発明の一実施形態による中継器は、それぞれが相異なる周波数区間に属する複数の同期信号ブロックを含む通信信号を受信し、受信した通信信号を周波数ドメインに変換するドメイン変換回路と、周波数ドメインに変換された前記通信信号の周波数区間別の信号のパワーを測定するパワーディテクタと、測定された周波数区間別の信号のパワーに基づいて前記複数の同期信号ブロックを検出する周波数区間の優先順位を定め、定められた優先順位によって前記周波数区間別に含まれている同期信号ブロックを検出する同期検出器と、を備える。
【誤訳訂正７】
【訂正対象書類名】明細書
【訂正対象項目名】００６８
【訂正方法】変更
【訂正の内容】
【００６８】
パワーディテクタ３３２は、ドメイン変換回路３３１によって周波数ドメインに変換された通信信号ＳＩＮの周波数区間別の信号のパワーを測定する。
【誤訳訂正８】
【訂正対象書類名】明細書
【訂正対象項目名】００６９
【訂正方法】変更
【訂正の内容】
【００６９】
実施形態によって、通信信号ＳＩＮの周波数区間が、第１周波数区間ｆ１ないしｆ２、第２周波数区間ｆ２ないしｆ３、及び第３周波数区間ｆ３ないしｆ４に区分された場合、第１周波数区間ｆ１ないしｆ２の信号成分の信号のパワー、第２周波数区間ｆ２ないしｆ３の信号成分の信号のパワー、及び第３周波数区間ｆ３ないしｆ４の信号成分の信号のパワーそれぞれを測定する。
【誤訳訂正９】
【訂正対象書類名】明細書
【訂正対象項目名】００７０
【訂正方法】変更
【訂正の内容】
【００７０】
同期検出器３３３は、パワーディテクタ３３２によって測定された周波数区間別の信号のパワーに基づいて、通信信号ＳＩＮＩ内で複数の同期信号ブロックを検出する周波数区間の優先順位を定める。
【誤訳訂正１０】
【訂正対象書類名】明細書
【訂正対象項目名】００７１
【訂正方法】変更
【訂正の内容】
【００７１】
実施形態によって、周波数区間別の信号のパワーの手順が、第３周波数区間ｆ３ないしｆ４、第１周波数区間ｆ１ないしｆ２、第２周波数区間ｆ２ないしｆ３の手順であれば、これと同じ手順で、通信信号ＳＩＮＩ内で複数の同期信号ブロックを検出する周波数区間の優先順位を定める。
【誤訳訂正１１】
【訂正対象書類名】明細書
【訂正対象項目名】００７６
【訂正方法】変更
【訂正の内容】
【００７６】
図４では、同期信号ブロックＳＳＢを探すために定義された候補周波数位置が例示的に示されているが、本発明の一実施形態では、候補周波数位置とは関係なく周波数区間別の信号のパワーに基づいて、同期信号ブロックＳＳＢを探すための周波数区間の手順が定められる。
【誤訳訂正１２】
【訂正対象書類名】明細書
【訂正対象項目名】００７８
【訂正方法】変更
【訂正の内容】
【００７８】
実施形態によって、図５のように、相異なる周波数区間に属する複数の同期信号ブロックＳＳＢ＃１ないしＳＳＢ＃Ｌが存在する場合、同期検出器３３３は、周波数区間別の信号のパワーに基づいて、信号の大きい周波数区間を高い優先順位として定め、高い優先順位の周波数区間から優先的に同期信号ブロックＳＳＢを検出する。
【誤訳訂正１３】
【訂正対象書類名】明細書
【訂正対象項目名】００８３
【訂正方法】変更
【訂正の内容】
【００８３】
中継器３００は、受信した通信信号の周波数区間別の信号のパワーを検出する（Ｓ６０２）。
【誤訳訂正１４】
【訂正対象書類名】明細書
【訂正対象項目名】００８４
【訂正方法】変更
【訂正の内容】
【００８４】
実施形態によって、中継器３００は、受信した通信信号を周波数ドメインに変換した後、周波数区間別に該周波数成分の信号のパワーを検出する。
【誤訳訂正１５】
【訂正対象書類名】明細書
【訂正対象項目名】００８５
【訂正方法】変更
【訂正の内容】
【００８５】
中継器３００は、周波数区間別の信号のパワーに基づいて、同期信号ブロックＳＳＢを検出する周波数区間の優先順位を定める（Ｓ６０３）。
【誤訳訂正１６】
【訂正対象書類名】明細書
【訂正対象項目名】００８６
【訂正方法】変更
【訂正の内容】
【００８６】
実施形態によって、中継器３００は、信号のパワーの大きい周波数区間について優先順位を高く定める。
【誤訳訂正１７】
【訂正対象書類名】図面
【訂正対象項目名】図６
【訂正方法】変更
【訂正の内容】
【図６】
2020532915.tif 000001
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
標的核酸を含むサンプルをアリコートに分割する工程と、
前記アリコートに増幅反応を実行する工程と、
各アリコートにおいて増幅されたセグメントを、存在する場合、検出する工程と、を含み、
前記標的核酸に対する増幅されたセグメントは、前記標的核酸が上記アリコートに存在する場合、前記標的核酸に対する一対の順方向及び逆方向プライマーの伸長により形成され、
前記プライマーは、4つの標準ヌクレオチドタイプの1又は複数が非主流のものであり、
前記非主流ヌクレオチドタイプは、前記プライマー間において同じである、
サンプル中の標的核酸に対してデジタル増幅を実行する方法。
【請求項２】
前記標的核酸のコピー数は、任意にポアソン分布に従って、前記増幅されたセグメントを含む又は欠いているアリコートの数により決定される、請求項1に記載の方法。
【請求項３】
前記サンプルは、複数の前記標的核酸を含み、
前記増幅は、それぞれの標的に対応する複数の順方向及び逆方向プライマー対を用いて実行され、それぞれは、同じ標準ヌクレオチドタイプが非主流であり、
任意に、上記複数は、それぞれ、少なくとも2、3、4、5、6、7、8、9又は10である、請求項１又は２に記載の方法。
【請求項４】
前記プライマー対の各々は、同じ唯一の標準ヌクレオチドタイプにおいて非主流である、請求項３に記載の方法。
【請求項５】
前記標的核酸は、DNA、RNA、cDNA、無細胞DNA、無細胞胎児DNA又は循環腫瘍DNAである、
及び/又は
前記サンプルは、組織又は体液である、請求項１から４のいずれかに記載の方法。
【請求項６】
前記アリコートの前記増幅反応は、ポリメラーゼ連鎖反応又は等温増幅反応である、請求項１から５のいずれかに記載の方法。
【請求項７】
前記標的核酸は、標的核酸を含んでいるサンプルをアリコートに分割する前又は後に、前増幅される、
又は
前記標的核酸は、化学物質、タンパク質又は酵素で処理される、
又は
前記標的核酸は、前記標的核酸のメチル化状態を決定するために、重亜硫酸塩で処理される、請求項１から６のいずれかに記載の方法。
【請求項８】
前記検出する工程は、所定の遺伝子異常が前記標的核酸に存在するか否かを示す、請求項１から７のいずれかに記載の方法。
【請求項９】
前記所定の遺伝子異常は、染色体異数性、一塩基多型(SNP)、挿入又は欠失である、請求項８に記載の方法。
【請求項１０】
前記染色体異数性は、トリソミー21、トリソミー18、トリソミー13、トリプルX又はモノソミーXである、請求項９に記載の方法。
【請求項１１】
染色体異数性は、一方は異数性に属し他方はそうではない2つの染色体上の標的核酸のコピー数の比率に基づいて決定される、請求項１０に記載の方法。
【請求項１２】
前記方法は、21番染色体由来の標的核酸、18番染色体由来の標的核酸及び13番染色体由来の標的核酸を含む複数の標的核酸に実行され、
前記検出する工程は、前記標的核酸の1つが前記異数性を含むことを示す、請求項１０に記載の方法。
【請求項１３】
前記方法は、集団由来のサンプルに対して実行され、
前記方法は、染色体異数性を含むサンプル、異数性を含まない染色体及び断定できないサンプルを同定し、
前記方法は、前記デジタル増幅分析によって断定できないと判断されたサンプルが前記染色体異数性を有するか否かを決定するために、前記断定できないサンプル由来のDNAの配列決定を行う工程を更に含む。請求項１０から１２のいずれかに記載の方法。
【請求項１４】
前記サンプルは、妊娠女性由来の無細胞核酸サンプルであり、
前記標的核は、胎児核酸である、請求項１から１３のいずれかに記載の方法。
【請求項１５】
前記胎児核酸は、Y染色体のセグメントである、又はY染色体にエンコードされている、
又は
前記胎児核酸は、対応する母性核酸と比較して区別可能にメチル化されている、
又は
前記方法は、胎児核酸標的及び対応する母性標的核酸標的を含む複数の標的核酸を用いて実行される、
又は
前記方法は、溶解された血球が放出するゲノム標的及び無細胞標的核酸を含む複数の標的核酸を用いて実行される、請求項１４に記載の方法。
【請求項１６】
前記デジタルPCRは、液滴デジタルPCR(ddPCR)である、請求項１から１５のいずれかに記載の方法。
【請求項１７】
前記増幅されたセグメントは、蛍光体標識オリゴヌクレオチドプローブ若しくは融解曲線分析により又はインターカレーティング染料で検出される、請求項１から１６のいずれかに記載の方法。
【請求項１８】
前記方法は、複数の標的に対して実行され、
前記複数の標的核酸のアンプリコンシグナル強度は、
アンプリコンサイズ及び/又はプライマー濃度の差異に起因して識別可能である、
又は、
DNAインターカレーティング染料及び蛍光体標識オリゴヌクレオチドプローブを使用して検出される、請求項１に記載の方法。
【請求項１９】
前記順方向プライマー及び/又は逆方向プライマーは、その5'末端において、前記ヌクレオチドでは非主流の人工配列に連結している、請求項１から１８のいずれかに記載の方法。
【請求項２０】
前記デジタル増幅を実行する前に前記標的核酸を断片化する工程を更に有する、請求項１から１９のいずれかに記載の方法。
【請求項２１】
前記プライマーは、唯一の非主流標準ヌクレオチドタイプを有し、
前記非主流標準ヌクレオチドタイプの前記相補体は、前記プライマーのうちの少なくとも1つの前記3'末端位置に存在する、請求項１から２０のいずれかに記載の方法。
【請求項２２】
前記非主流標準ヌクレオチドタイプの前記相補体は、前記プライマーの各々の前記3'末端位置に存在する、請求項２１に記載の方法。
【請求項２３】
前記プライマーは、唯一の非主流標準ヌクレオチドタイプを有し、
前記非主流ヌクレオチドタイプは、プライマーの1つの前記5'末端位置に存在する、請求項１から２２のいずれかに記載の方法。
【請求項２４】
前記非主流標準ヌクレオチドタイプは、前記プライマーの全ての前記5'末端位置に存在する、請求項２３に記載の方法。
【手続補正書】
【提出日】令和3年8月17日(2021.8.17)
【手続補正１】
【補正対象書類名】特許請求の範囲
【補正対象項目名】全文
【補正方法】変更
【補正の内容】
【特許請求の範囲】
【請求項１】
リボ核酸（ＲＮＡ）ポリメラーゼバリアントであって、野生型ＲＮＡポリメラーゼと比較して、前記ＲＮＡポリメラーゼバリアントが開始複合体から伸長複合体に移行するにつれて前記ＲＮＡポリメラーゼバリアントのループ構造にヘリックス構造へのコンフォメーション変化を受けさせるアミノ酸置換を含む、前記リボ核酸（ＲＮＡ）ポリメラーゼバリアント。
【請求項２】
前記アミノ酸置換が、野生型アミノ酸と比較して高いヘリックス性向を有する、請求項１に記載のＲＮＡポリメラーゼバリアント。
【請求項３】
前記ＲＮＡポリメラーゼが、Ｔ７  ＲＮＡポリメラーゼである、請求項１または２に記載のＲＮＡポリメラーゼバリアント。
【請求項４】
前記ループ構造が、Ｃヘリックス構造中にある、請求項１〜３のいずれか１項に記載のＲＮＡポリメラーゼバリアント。
【請求項５】
前記ループ構造が、Ｃリンカー構造中にある、請求項１〜３のいずれか１項に記載のＲＮＡポリメラーゼバリアント。
【請求項６】
前記アミノ酸置換が、高ヘリックス性向アミノ酸置換である、請求項１〜５のいずれか１項に記載のＲＮＡポリメラーゼバリアント。
【請求項７】
前記高ヘリックス性向酸置換が、アラニン、イソロイシン、ロイシン、メチオニン、リジン、グルタミン、及びグルタミン酸から選択される、請求項６に記載のＲＮＡポリメラーゼバリアント。
【請求項８】
前記高ヘリックス性向アミノ酸置換が、アラニンである、請求項７に記載のＲＮＡポリメラーゼバリアント。
【請求項９】
前記Ｔ７  ＲＮＡポリメラーゼバリアントが、配列番号１と少なくとも９０％、少なくとも９５％、少なくとも９６％、少なくとも９７％、少なくとも９８％、または少なくとも９９％の同一性を有するアミノ酸配列を含む、請求項１〜８のいずれか１項に記載のＲＮＡポリメラーゼバリアント。
【請求項１０】
前記Ｔ７  ＲＮＡポリメラーゼが、Ｅ４２、Ｓ４３、Ｙ４４、Ｅ４５、Ｍ４６、Ｇ４７、Ａ２５５、Ｒ２５７、Ａ２５８、Ｇ２５９、Ａ２６０、Ｌ２６１、及びＡ２６２から選択される位置に高ヘリックス性向アミノ酸のアミノ酸置換を含むように修飾された配列番号１と少なくとも９０％、少なくとも９５％、少なくとも９６％、少なくとも９７％、少なくとも９８％、少なくとも９９％、または１００％の同一性を有するアミノ酸配列を含む、請求項９に記載のＲＮＡポリメラーゼバリアント。
【請求項１１】
Ｅ４２、Ｓ４３、Ｙ４４、Ｅ４５、Ｍ４６、Ｇ４７、Ａ２５５、Ｒ２５７、Ａ２５８、Ｇ２５９、Ａ２６０、Ｌ２６１、及びＡ２６２から選択される少なくとも１つの位置にアミノ酸置換を含むように修飾された配列番号１と少なくとも９０％の同一性を有するアミノ酸配列を含む、ＲＮＡポリメラーゼバリアント。
【請求項１２】
前記アミノ酸置換が、アラニン、イソロイシン、ロイシン、メチオニン、リジン、グルタミン、及びグルタミン酸から選択される、請求項１０又は１１に記載のＲＮＡポリメラーゼバリアント。
【請求項１３】
前記アミノ酸置換が、Ｓ４３Ａを含む、請求項１２に記載のＲＮＡポリメラーゼバリアント。
【請求項１４】
前記アミノ酸置換が、Ｇ４７Ａを含む、請求項１２に記載のＲＮＡポリメラーゼバリアント。
【請求項１５】
追加のＣ末端アミノ酸をさらに含む、請求項１〜１４のいずれか１項に記載のＲＮＡポリメラーゼバリアント。
【請求項１６】
前記追加のＣ末端アミノ酸が、グリシン（Ｇ）を含む、請求項１５に記載のＲＮＡポリメラーゼバリアント。
【請求項１７】
前記ＲＮＡポリメラーゼバリアントが、配列番号１０８のアミノ酸配列を含む、請求項１３、１５、または１６のいずれか１項に記載のＲＮＡポリメラーゼバリアント。
【請求項１８】
前記ＲＮＡポリメラーゼバリアントが、配列番号１１０のアミノ酸配列を含む、請求項１４〜１６のいずれか１項に記載のＲＮＡポリメラーゼバリアント。
【請求項１９】
野生型ＲＮＡポリメラーゼと比較して追加のＣ末端アミノ酸を含む、リボ核酸（ＲＮＡ）ポリメラーゼバリアント。
【請求項２０】
ＦＡＦＡＸｎ（配列番号１７１）モチーフを含むＣ末端を含み、Ｘが任意のアミノ酸であり、ｎがゼロより大きい任意の整数である、ＲＮＡポリメラーゼバリアント。
【請求項２１】
ＸＡＦＡＸｎモチーフ、ＦＸＦＡＸｎモチーフ、ＦＡＸＡＸｎモチーフ、またはＦＡＦＸＸｎモチーフを含むＣ末端を含み、各Ｘが任意のアミノ酸であり、ｎはゼロより大きい任意の整数である、ＲＮＡポリメラーゼバリアント、任意選択によりＴ７  ＲＮＡポリメラーゼバリアント。
【請求項２２】
ＲＮＡ転写物の生成をもたらす条件下で、ＤＮＡ鋳型を請求項１〜２１のいずれか１項に記載のＲＮＡポリメラーゼと接触させることを含む、リボ核酸（ＲＮＡ）を生成する方法。
【請求項２３】
ＲＮＡ転写物の生成をもたらす条件下で、ヌクレオシド三リン酸及び緩衝液の存在下において、ＤＮＡ鋳型を請求項１〜２１のいずれか１項に記載のＲＮＡポリメラーゼと接触させることを含む、インビトロ転写（ＩＶＴ）反応を行う方法。
【請求項２４】
請求項１〜２１のいずれか１項に記載のＲＮＡポリメラーゼバリアントをコードする核酸。
【請求項２５】
請求項１〜２１のいずれか１項に記載のＲＮＡポリメラーゼバリアント及び任意選択によりインビトロ転写（ＩＶＴ）試薬を含む、組成物またはキット。
【請求項２６】
請求項２２または２３に記載の方法により生成される、リボ核酸（ＲＮＡ）、任意選択によりメッセンジャーＲＮＡ（ｍＲＮＡ）。
【請求項２７】
ＲＮＡ転写物を生成するためのインビトロ転写反応条件下で、ポリヌクレオチド鋳型をＲＮＡポリメラーゼバリアント、任意選択によりＴ７  ＲＮＡポリメラーゼバリアント、ヌクレオシド三リン酸、及びキャップ類似体と反応させることを含む、リボ核酸（ＲＮＡ）合成のための共転写キャッピング方法。
【請求項２８】
前記キャップ類似体が、ジヌクレオチドキャップ、トリヌクレオチドキャップ、またはテトラヌクレオチドキャップである、請求項２７に記載の方法。
【請求項２９】
野生型Ｔ７  ＲＮＡポリメラーゼと少なくとも９０％の同一性を有し、（ａ）配列番号１のアミノ酸４７位に対応するアミノ酸位置のアラニン及び（ｂ）追加のＣ末端グリシンを含むように修飾されているアミノ酸配列を含む、Ｔ７リボ核酸（ＲＮＡ）ポリメラーゼ。
【請求項３０】
前記トリヌクレオチドキャップが、ＧｐｐｐＡ２′ＯｍｅｐＧである、請求項２９に記載のＴ７  ＲＮＡポリメラーゼ。
【手続補正書】
【提出日】令和3年8月12日(2021.8.12)
【手続補正１】
【補正対象書類名】特許請求の範囲
【補正対象項目名】全文
【補正方法】変更
【補正の内容】
【特許請求の範囲】
【請求項１】
目的のタンパク質をコードするヌクレオチドに対して３’に位置するポリアデニル化（ポリＡ）テールをコードするヌクレオチドを含むＤＮＡであって、
前記ポリＡテールが、少なくとも８個の連続するアデニン（Ａ）ヌクレオチドの第１のホモポリマー配列と、１個以上の非アデニン（Ａ）ヌクレオチドを含む中断配列とを含む、
前記ＤＮＡ。
【請求項２】
前記中断配列の後に第２のホモポリマー配列を含む、請求項１に記載のＤＮＡ。
【請求項３】
前記ポリＡテールが、少なくとも８個の連続するアデニン（Ａ）ヌクレオチドの３個以上のホモポリマー配列を含む、請求項１または２に記載のＤＮＡ。
【請求項４】
前記第１または以降のホモポリマー配列が、少なくとも１０、１５、２０、２５、３０、３５、または４０個の連続するアデニンヌクレオチドを含む、請求項１または２に記載のＤＮＡ。
【請求項５】
前記１個以上の非アデニンヌクレオチドが、アデニンヌクレオチドのみを含有する類似または同じ長さの３’テールを含むＤＮＡにおいて起こる損失と比較して、ＤＮＡ複製中の１個以上のアデニンヌクレオチドの損失を防止する、請求項１〜４のいずれか１項に記載のＤＮＡ。
【請求項６】
前記１個以上の非アデニンヌクレオチドが、ポリ（Ａ）結合タンパク質が一続きの連続するアデニンヌクレオチドに結合することができるように、前記連続するアデニンヌクレオチドを中断するように配置される、請求項１〜４のいずれか１項に記載のＤＮＡ。
【請求項７】
前記ポリＡテールが、少なくとも５０個の総アデニンヌクレオチドを含む、請求項１〜６のいずれか１項に記載のＤＮＡ。
【請求項８】
前記ポリＡテールが、４０〜１０００個、４０〜９００個、４０〜８００個、４０〜７００個、４０〜６００個、４０〜５００個、４０〜４００個、４０〜３００個、４０〜２００個、または４０〜１００個の総アデニンヌクレオチドを含む、請求項１〜６のいずれか１項に記載のＤＮＡ。
【請求項９】
前記中断配列が、１個の非アデニンヌクレオチド、または１個の連続する一続きの２〜１０個の非アデニンヌクレオチドを含む、請求項１〜８のいずれか１項に記載のＤＮＡ。
【請求項１０】
前記中断配列が、１個の非アデニンヌクレオチド、または２個以上の非アデニンヌクレオチドを包含する１個の連続する一続きの２〜１０個のヌクレオチドを含む、請求項１〜８のいずれか１項に記載のＤＮＡ。
【請求項１１】
前記非アデニンヌクレオチド（複数可）が、少なくとも８、９、１０、１１、または１２個の連続するアデニンヌクレオチドの後に位置する、請求項９または１０に記載のＤＮＡ。
【請求項１２】
前記第１のホモポリマー配列が、８〜５０個の連続するアデニンヌクレオチドを含む、請求項１〜１１のいずれか１項に記載のＤＮＡ。
【請求項１３】
前記中断配列が、トリヌクレオチド、ジヌクレオチド、またはモノヌクレオチドの中断配列である、請求項１〜１２のいずれか一項に記載のＤＮＡ。
【請求項１４】
前記ポリＡテールが、８〜５０個の連続するアデニンヌクレオチドごとに、１個の非アデニンヌクレオチド、または１個の連続する一続きの２〜１０個の非アデニンヌクレオチドを含む、請求項１〜１３のいずれか一項に記載のＤＮＡ。
【請求項１５】
前記ポリＡテールが、８〜５０個の連続するアデニンヌクレオチドごとに、１、２、３、４、または５個の連続する非アデニンヌクレオチドを含む、請求項１〜１４のいずれかに記載のＤＮＡ。
【請求項１６】
前記ポリＡテールが、２個以上の非アデニンヌクレオチドまたは２個以上の連続する一続きの２〜１０個の非アデニンヌクレオチドを含む、請求項１〜１５のいずれか一項に記載のＤＮＡ。
【請求項１７】
前記ポリＡテールが、１２、１６、２５、３０、または３９個の連続するアデニンヌクレオチドごとに、１個の非アデニンヌクレオチド、または２、３、４、もしくは５個の連続する非アデニンヌクレオチドを含む、請求項１〜１６のいずれかに記載のＤＮＡ。
【請求項１８】
前記非アデニンヌクレオチドが、グアニン、シトシン、およびチミンから選択される、請求項１〜１７のいずれかに記載のＤＮＡ。
【請求項１９】
ａ．グアニンおよびチミンヌクレオチド、
ｂ．グアニンおよびシトシンヌクレオチド、
ｃ．チミンおよびシトシンヌクレオチド、および
ｄ．グアニン、チミンおよびシトシンヌクレオチドから選択される、２個以上の非アデニンヌクレオチドを含む、請求項１８に記載のＤＮＡ。
【請求項２０】
前記非アデニンヌクレオチドが、グアニン、シトシン、およびチミンから選択される１個の非アデニンヌクレオチドからなる、請求項１〜１９のいずれかに記載のＤＮＡ。
【請求項２１】
前記非アデニンヌクレオチドが、グアニン、シトシン、およびチミンのうちの１個以上から選択される２個の非アデニンヌクレオチドを含む、請求項１〜１９のいずれかに記載のＤＮＡ。
【請求項２２】
前記非アデニンヌクレオチドが、グアニン、シトシン、およびチミンのうちの１個以上から選択される３個の非アデニンヌクレオチドを含む、請求項１〜１９のいずれかに記載のＤＮＡ。
【請求項２３】
前記アデニンヌクレオチドが、アデノシン一リン酸である、請求項１〜２２のいずれかに記載のＤＮＡ。
【請求項２４】
前記タンパク質が、治療用タンパク質である、請求項１〜２３のいずれかに記載のＤＮＡ。
【請求項２５】
前記タンパク質が、サイトカイン、ケモカイン、増殖因子、ＲＮＡガイド型ヌクレアーゼ、クラス２  ＣＲＩＳＰＲ関連Ｃａｓエンドヌクレアーゼ、Ｃａｓ９、または修飾Ｃａｓ９である、請求項２４に記載のＤＮＡ。
【請求項２６】
請求項１〜２５のいずれか一項に記載のＤＮＡによりコードされるｍＲＮＡ。
【請求項２７】
前記ＤＮＡがベクター内にある、請求項１〜２６のいずれかに記載のＤＮＡ。
【請求項２８】
請求項２７に記載のＤＮＡベクターからｍＲＮＡを産生する方法であって、
ａ．前記ポリＡテールの下流の前記ベクターを直線化すること、
ｂ．前記直線化されたベクターを変性させること、ならびに
ｃ．グアニン、シトシン、ウラシル、およびアデニンヌクレオチドの存在下で、前記変性ＤＮＡをＲＮＡポリメラーゼと接触させること
を含む、前記方法。
【請求項２９】
病気または障害の治療のための、医薬組成物、薬剤またはキットを製造するための、請求項１〜２５及び２７のいずれか１項に記載のＤＮＡまたは請求項２６に記載のｍＲＮＡによりコードされるタンパク質の使用。
【請求項３０】
請求項１〜２５及び２７のいずれか１項に記載のＤＮＡまたは請求項２６に記載のｍＲＮＡによりコードされるタンパク質を含む、病気または障害の治療のための、組成物。
【手続補正書】
【提出日】令和3年8月25日(2021.8.25)
【手続補正１】
【補正対象書類名】特許請求の範囲
【補正対象項目名】全文
【補正方法】変更
【補正の内容】
【特許請求の範囲】
【請求項１】
ブリッジデバイスを含むマルチホップテクノロジのマルチホップネットワークへのネットワークノードの追加を制御するための装置であって、前記ネットワークノードは、ポイントツーポイント接続を確立するためのシングルホップテクノロジのシングルホップ通信ユニットと、前記マルチホップネットワークの他のネットワークデバイスと通信するための前記マルチホップテクノロジのマルチホップ通信ユニットとを備えるコンボネットワークデバイスであり、当該装置は、
前記ネットワークノードへのポイントツーポイント接続を確立するための前記シングルホップテクノロジのシングルホップ通信ユニットと、
前記ネットワークノードを前記ブリッジデバイスの前記マルチホップネットワークに追加するために、前記ネットワークノードと前記ブリッジデバイスとの間の参加プロシージャを開始するためのトリガユニットと、
前記ブリッジデバイスへのネットワーク接続を確立するためのネットワークインターフェースと、
を備え、当該装置は、前記ネットワークノードからコミッショニングコードを読み取るために前記シングルホップ通信ユニットを使用する、並びに、読み取られた前記コミッショニングコードを前記ブリッジデバイスに転送するために、及び前記ブリッジデバイスに、
前記マルチホップネットワークのネットワークノードにコマンドを送信して、当該ネットワークノードの自身のコミッショニングコードが受信された前記コミッショニングコードとマッチする場合、ファクトリニュー状態へのリセット及び参加プロシージャを開始させる、及び
前記コミッショニングコードに基づいて前記マルチホップネットワークにおいて新しいデバイスの検索を開始する、
ように指示するために、前記ネットワークインターフェースを使用する、
ように構成される、装置。
【請求項２】
前記トリガユニットは、ユーザインターフェースにおける入力操作に応じて参加プロシージャを開始するように構成される、請求項１に記載の装置。
【請求項３】
前記トリガユニットは、前記ブリッジデバイスの存在の検出に応じて参加プロシージャを開始するように構成される、請求項１に記載の装置。
【請求項４】
前記マルチホップテクノロジは、ＺｉｇＢｅｅである、請求項１に記載の装置。
【請求項５】
前記シングルホップテクノロジは、Ｂｌｕｅｔｏｏｔｈ  Ｌｏｗ  Ｅｎｅｒｇｙである、請求項１に記載の装置。
【請求項６】
当該装置は、前記ネットワークノードに前記マルチホップネットワークに参加するために必要なネットワーク情報を提供するために前記シングルホップ通信ユニットを使用するように構成される、請求項１に記載の装置。
【請求項７】
照明システムにおいて使用するためのブリッジデバイスであって、前記照明システムは、コミッショニングデバイスを含み、前記コミッショニングデバイスは、請求項１に記載の装置を含み、前記照明システムは、少なくとも１つの照明デバイスを含み、当該ブリッジデバイスは、前記ネットワークインターフェースを介して前記コミッショニングデバイスから受信された指示に応答して、自身のマルチホップネットワークを開き、新しいネットワークノードを検索するように構成され、受信される前記指示は、コミッショニングコードを含み、当該ブリッジデバイスは、
前記マルチホップネットワークのネットワークノードにコマンドを送信して、当該ネットワークノードの自身のコミッショニングコードが受信された前記コミッショニングコードとマッチする場合、ファクトリニュー状態へのリセット及び参加プロシージャを開始させる、及び
前記コミッショニングコードに基づいて前記マルチホップネットワークにおいて新しいデバイスの検索を開始する、
ように構成され、
前記照明デバイスは、当該ブリッジデバイスを含むマルチホップテクノロジのマルチホップネットワークへのネットワークノードの追加を制御するための装置を含み、該装置は、
前記コミッショニングデバイスへのポイントツーポイント接続を確立するためのシングルホップテクノロジのシングルホップ通信ユニットと、
前記マルチホップネットワークの他のネットワークデバイスと通信するための前記マルチホップテクノロジのマルチホップ通信ユニットと、
少なくとも当該ブリッジデバイスの前記マルチホップネットワークへの前記ネットワークノードの参加プロシージャに必要なコミッショニングコードを設定するためのパラメータ記憶ユニットと、
前記パラメータ記憶ユニットに記憶された、前記コミッショニングコードが、前記マルチホップネットワークから受信されたコミッショニングコードとマッチする場合、参加プロシージャを開始するように構成される参加制御ユニットと、
を備える、ブリッジデバイス。
【請求項８】
ブリッジデバイスを含むマルチホップテクノロジのマルチホップネットワークへのネットワークノードの追加を制御する方法であって、前記ネットワークノードは、ポイントツーポイント接続を確立するためのシングルホップテクノロジのシングルホップ通信ユニットと、前記マルチホップネットワークの他のネットワークデバイスと通信するための前記マルチホップテクノロジのマルチホップ通信ユニットとを備えるコンボネットワークデバイスであり、当該方法は、
前記ネットワークノードへのポイントツーポイント接続を確立するステップと、
前記ネットワークノードを前記ブリッジデバイスの前記マルチホップネットワークに追加するために、前記ネットワークノードと前記ブリッジデバイスとの間の参加プロシージャを開始するステップと、
前記ブリッジデバイスへのネットワーク接続を確立するステップと、
前記ネットワークノードからコミッショニングコードを読み取るために前記ポイントツーポイント接続を使用する、並びに読み取られた前記コミッショニングコードを前記ブリッジデバイスに転送するために、及び前記ブリッジデバイスに、
前記マルチホップネットワークのネットワークノードにコマンドを送信して、当該ネットワークノードの自身のコミッショニングコードが受信された前記コミッショニングコードとマッチする場合、ファクトリニュー状態へのリセット及び参加プロシージャを開始させる、及び
前記コミッショニングコードに基づいて前記マルチホップネットワークにおいて新しいデバイスの検索を開始する、
ように指示するために、ネットワークインターフェースを使用するステップと、
を含む、方法。
【請求項９】
前記マルチホップテクノロジは、ＺｉｇＢｅｅである、請求項８に記載の方法。
【請求項１０】
前記シングルホップテクノロジは、Ｂｌｕｅｔｏｏｔｈ  Ｌｏｗ  Ｅｎｅｒｇｙである、請求項８に記載の方法。
【請求項１１】
コンピュータデバイスで実行された場合、請求項８に記載の方法のステップを行うためのコード手段を含むコンピュータプログラム。